(57)【特許請求の範囲】
【請求項１】
下側が開口した矩形枠状の本体と、
前記本体の開口側四隅部に設けた前記本体を走行させる走行ローラと、
前記本体の一部に設けた操作用把手と、
前記本体の下側の開口両側に臨ませて配置した一対のブラシを有するブラシ式掃き集め機構部と、
前記ブラシ式掃き集め機構部の一対のブラシ間に配置されて、ブラシ式掃き集め機構部により掃き集める紙粉類を前記開口側から本体内方へ搬入するベルト式紙粉類搬送機構部と、
前記本体に形成された前記ベルト式紙粉類搬送機構部にて搬入する紙粉類を吸引し外部への搬出を可能とする吸引用流路と、
前記ブラシ式掃き集め機構部の一対のブラシ及びベルト式紙粉類搬送機構部に各々掃き集め力、搬送力を付与する駆動動力付与手段と、
を有することを特徴とし、
前記操作用把手を手に持ち、前記本体を裁断、成形され積層状態とされる組み立て用段ボール群の外面等に沿って走行させつつ、前記ブラシ式掃き集め機構部の一対のブラシにより組み立て用段ボール群に残存、付着等している紙粉類を開口内に掃き集めながら、前記ベルト式紙粉類搬送機構部により掃き集めた紙粉類を前記開口側から本体内方へ搬入して、前記吸引用流路を利用して前記ベルト式紙粉類搬送機構部にて搬入する紙粉類を吸引して外部へ搬出可能に構成し、前記紙粉類の掃き集め除去作業を簡略、且つ、短時間に能率良く実行できるようにしたことを特徴とする紙粉類の掃き集め除去装置。
【請求項２】
下側が開口した矩形枠状の本体と、
前記本体の開口側四隅部に設けた前記本体を走行させる走行ローラと、
前記本体の一部に設けた操作用把手と、
前記本体の下側の開口両側に臨ませて配置した一対のブラシを有するブラシ式掃き集め機構部と、
前記一対のブラシ近傍に配置した紙粉類削取用の一対の回転刃を有する削取機構部と、
前記ブラシ式掃き集め機構部の一対のブラシ間に配置されて、削取機構部により削取され、ブラシ式掃き集め機構部により掃き集められる紙粉類を前記開口側から本体内方へ搬入するベルト式紙粉類搬送機構部と、
前記本体に形成された前記ベルト式紙粉類搬送機構部にて搬入する紙粉類を吸引し外部への搬出を可能とする吸引用流路と、
前記ブラシ式掃き集め機構部の一対のブラシ、削取機構部の一対の回転刃及びベルト式紙粉類搬送機構部に各々掃き集め力、削取力及び搬送力を付与する駆動動力付与手段と、
を有することを特徴とし、
前記操作用把手を手に持ち、前記本体を裁断、成形され積層状態とされる組み立て用段ボール群の外面等に沿って走行させつつ、前記削取機構部の一対の回転刃により積層状態の組み立て用段ボール群の壁面からカス状の紙粉類を削り取りながら、前記ブラシ式掃き集め機構部の一対のブラシにより組み立て用段ボール群に残存、付着等している紙粉類を開口内に掃き集め、前記ベルト式紙粉類搬送機構部により掃き集めた紙粉類を前記開口側から本体内方へ搬入して、前記吸引用流路を利用して前記ベルト式紙粉類搬送機構部にて搬入する紙粉類を吸引して外部へ搬出可能に構成し、前記紙粉類の掃き集め除去作業を簡略、且つ、短時間に能率良く実行できるようにしたことを特徴とする紙粉類の掃き集め除去装置。
【請求項３】
下側が開口した矩形枠状の本体と、
前記本体の開口側四隅部に設けた前記本体を走行させる走行ローラと、
前記本体の一部に設けた操作用把手と、
前記本体の下側の開口両側に臨ませて配置した一対のブラシを有するブラシ式掃き集め機構部と、
前記ブラシ式掃き集め機構部の一対のブラシ間に配置されて、ブラシ式掃き集め機構部により掃き集める紙粉類を前記開口側から本体内方へ搬入するベルト式紙粉類搬送機構部と、
前記本体に形成された前記ベルト式紙粉類搬送機構部にて搬入する紙粉類を吸引し外部への搬出を可能とする吸引用流路と、
前記ブラシ式掃き集め機構部の一対のブラシ及びベルト式紙粉類搬送機構部に各々掃き集め力、搬送力を付与する駆動動力付与手段とを有する紙粉類の掃き集め除去装置と、
前記紙粉類の掃き集め除去装置の所要個数を、紙粉類発生源である裁断、成形され積層状態とされる組み立て用段ボール群の壁面に沿って前記ブラシを壁面に接触させつつ昇降駆動する除去装置駆動手段と、
前記裁断、成形され積層状態とされる組み立て用段ボール群及び紙粉類の掃き集め除去装置の外周を覆う包囲体と、
前記包囲体内に生じる紙粉類を吸引除去する紙粉類除去手段と、
を有することを特徴とし、
前記操作用把手を手に持ち、前記本体を裁断、成形され積層状態とされる組み立て用段ボール群の外面等に沿って走行させつつ、前記ブラシ式掃き集め機構部の一対のブラシにより組み立て用段ボール群に残存、付着等している紙粉類を開口内に掃き集めながら、前記ベルト式紙粉類搬送機構部により掃き集めた紙粉類を前記開口側から本体内方へ搬入して、前記吸引用流路を利用して前記ベルト式紙粉類搬送機構部にて搬入する紙粉類を吸引して外部へ搬出可能に構成し、前記吸引用流路を経て包囲体内に溢れる紙粉類の掃き集め除去作業を簡略、且つ、短時間に能率良く実行できるようにしたことを特徴とする紙粉類の掃き集め除去装置。
【請求項４】
下側が開口した矩形枠状の本体と、
前記本体の開口側四隅部に設けた前記本体を走行させる走行ローラと、
前記本体の一部に設けた操作用把手と、
前記本体の下側の開口両側に臨ませて配置した一対のブラシを有するブラシ式掃き集め機構部と、
前記一対のブラシ近傍に配置した紙粉類削取用の一対の回転刃を有する削取機構部と、
前記ブラシ式掃き集め機構部の一対のブラシ間に配置され、削取機構部により削取され、ブラシ式掃き集め機構部により掃き集められる紙粉類を前記開口側から本体内方へ搬入するベルト式紙粉類搬送機構部と、
本体に形成された前記ベルト式紙粉類搬送機構部にて搬入する紙粉類を吸引し外部への搬出を可能とする吸引用流路と、
前記ブラシ式掃き集め機構部の一対のブラシ、削取機構部の一対の回転刃及びベルト式紙粉類搬送機構部に各々掃き集め力、削取力及び搬送力を付与する駆動動力付与手段とを有する紙粉類の掃き集め除去装置と、
前記紙粉類の掃き集め除去装置の所要個数を、紙粉類発生源である裁断、成形され積層状態とされる組み立て用段ボール群の壁面に沿って前記ブラシを壁面に接触させつつ昇降駆動する除去装置駆動手段と、
前記裁断、成形され積層状態とされる組み立て用段ボール群及び紙粉類の掃き集め除去装置の外周を覆う包囲体と、
前記包囲体内に生じる紙粉類を吸引除去する紙粉類除去手段と、
を有することを特徴とし、
前記操作用把手を手に持ち、前記本体を裁断、成形され積層状態とされる組み立て用段ボール群の外面等に沿って走行させつつ、前記削取機構部の一対の回転刃により積層状態の組み立て用段ボール群の壁面からカス状の紙粉類を削り取りながら、前記ブラシ式掃き集め機構部の一対のブラシにより組み立て用段ボール群に残存、付着等している紙粉類を開口内に掃き集め、前記ベルト式紙粉類搬送機構部により掃き集めた紙粉類を前記開口側から本体内方へ搬入して、前記吸引用流路を利用して前記ベルト式紙粉類搬送機構部にて搬入する紙粉類を吸引して外部へ搬出可能に構成し、前記吸引用流路を経て包囲体内に溢れる紙粉類の掃き集め除去作業を簡略、且つ、短時間に能率良く実行できるようにしたことを特徴とする紙粉類の掃き集め除去装置。
【請求項５】
下側が開口した矩形枠状の本体と、
前記本体の開口側四隅部に設けた前記本体を走行させる走行ローラと、
前記本体の一部に設けた操作用把手と、
前記本体の下側の開口両側に臨ませて配置した一対のブラシを有するブラシ式掃き集め機構部と、
前記ブラシ式掃き集め機構部の一対のブラシ間に配置されて、ブラシ式掃き集め機構部により掃き集める紙粉類を前記開口側から本体内方へ搬入するベルト式紙粉類搬送機構部と、
前記本体に形成された前記ベルト式紙粉類搬送機構部にて搬入する紙粉類を吸引し外部への搬出を可能とする吸引用流路と、
前記ブラシ式掃き集め機構部の一対のブラシ及びベルト式紙粉類搬送機構部に各々掃き集め力、搬送力を付与する駆動動力付与手段とを有する紙粉類の掃き集め除去装置と、
前記紙粉類の掃き集め除去装置所要個数を、紙粉類発生源である裁断、成形され積層状態とされる組み立て用段ボール群の壁面に沿って前記ブラシを壁面に接触させつつ昇降駆動する除去装置駆動手段と、
前記裁断、成形され積層状態とされる組み立て用段ボール群及び紙粉類の掃き集め除去装置の外周を覆うジャバラ状壁面を備えた包囲体と、
前記包囲体内に生じる紙粉類を吸引除去する紙粉類除去手段と、
を有することを特徴とし、
前記操作用把手を手に持ち、前記本体を裁断、成形され積層状態とされる組み立て用段ボール群の外面等に沿って走行させつつ、前記ブラシ式掃き集め機構部の一対のブラシにより組み立て用段ボール群に残存、付着等している紙粉類を開口内に掃き集めながら、前記ベルト式紙粉類搬送機構部により掃き集めた紙粉類を前記開口側から本体内方へ搬入して、前記吸引用流路を利用して前記ベルト式紙粉類搬送機構部にて搬入する紙粉類を吸引して外部へ搬出可能に構成し、前記吸引用流路を経て包囲体内に溢れる紙粉類の掃き集め除去作業を簡略、且つ、短時間に能率良く実行できるようにしたことを特徴とする紙粉類の掃き集め除去装置。
【請求項６】
下側が開口した矩形枠状の本体と、
前記本体の開口側四隅部に設けた前記本体を走行させる走行ローラと、
前記本体の一部に設けた操作用把手と、
前記本体の下側の開口両側に臨ませて配置した一対のブラシを有するブラシ式掃き集め機構部と、
前記一対のブラシ近傍に配置した紙粉類削取用の一対の回転刃を有する削取機構部と、
前記ブラシ式掃き集め機構部の一対のブラシ間に配置されて、削取機構部により削取され、ブラシ式掃き集め機構部により掃き集められる紙粉類を前記開口側から本体内方へ搬入するベルト式紙粉類搬送機構部と、
前記本体に形成された前記ベルト式紙粉類搬送機構部にて搬入する紙粉類を吸引し外部への搬出を可能とする吸引用流路と、
前記ブラシ式掃き集め機構部の一対のブラシ、削取機構部の一対の回転刃及びベルト式紙粉類搬送機構部に各々掃き集め力、削取力及び搬送力を付与する駆動動力付与手段とを有する紙粉類の掃き集め除去装置と、
前記紙粉類の掃き集め除去装置所要個数を、紙粉類発生源である裁断、成形され積層状態とされる組み立て用段ボール群の壁面に沿って前記ブラシを壁面に接触させつつ昇降駆動する除去装置駆動手段と、
前記裁断、成形され積層状態とされる組み立て用段ボール群及び紙粉類の掃き集め除去装置の外周を覆うジャバラ状壁面を備えた包囲体と、
前記包囲体内に生じる紙粉類を吸引除去する紙粉類除去手段と、
を有することを特徴とし、
前記操作用把手を手に持ち、前記本体を裁断、成形され積層状態とされる組み立て用段ボール群の外面等に沿って走行させつつ、前記削取機構部の一対の回転刃により積層状態の組み立て用段ボール群の壁面からカス状の紙粉類を削り取りながら、前記ブラシ式掃き集め機構部の一対のブラシにより組み立て用段ボール群に残存、付着等している紙粉類を開口内に掃き集め、前記ベルト式紙粉類搬送機構部により掃き集めた紙粉類を前記開口側から本体内方へ搬入して、前記吸引用流路を利用して前記ベルト式紙粉類搬送機構部にて搬入する紙粉類を吸引して外部へ搬出可能に構成し、前記吸引用流路を経て包囲体内に溢れる紙粉類の掃き集め除去作業を簡略、且つ、短時間に能率良く実行できるようにしたことを特徴とする紙粉類の掃き集め除去装置。
【請求項７】
前記裁断、成形され積層状態とされる組み立て用段ボール群及び包囲体全体を覆う全包囲体を更に備えることを特徴とする請求項３乃至６のいずれかに記載の紙粉類の掃き集め除去装置。
【請求項８】
前記ブラシは、１又は２以上複数に設置構成されたものであることを特徴とする請求項１乃至７のいずれかに記載の紙粉類の掃き集め除去装置。
【請求項９】
前記回転刃は、１又は２以上複数に設置構成されたものであることを特徴とする請求項１乃至８のいずれかに記載の紙粉類の掃き集め除去装置。
【発明の詳細な説明】
【発明の属する技術分野】
本発明は、裁断、成形され積層状態とされる組み立て用段ボール群の各面、周囲に残存、付着等しているカス状の紙粉類を掃き集め除去する紙粉類の掃き集め除去装置に関する。
【従来の技術】
従来、一般に、段ボール製造装置により、所定の形状に裁断、プレス成形され、製品として積層状態に積み上げられる組み立て用段ボール群には、段ボール製造装置に組み込まれているカス取り処理のみでは取りきれないカス状の紙粉類が残存、付着等している。
このようなカス状の紙粉類は、従来においてはハケや箒等を用いた手作業による除去作業にと掃き集め除去しているのが実情である。
【発明が解決しようとする課題】
上述したように裁断、成形され積層状態とされる組み立て用段ボール群に残存、付着等しているカス状の紙粉類の除去作業は、従来においては手作業にて行われているのが実情であり、その処理能率が悪く煩雑であるという問題があった。
そこで、本発明は、裁断、成形され積層状態とされる組み立て用段ボール群に残存、付着等しているカス状の紙粉類の除去作業を簡略、且つ、短時間に能率良く実行できる紙粉類の掃き集め除去装置を提供するものである。
【課題を解決するための手段】
上記課題を解決するために、請求項１記載の発明の紙粉類の掃き集め除去装置は、下側が開口した矩形枠状の本体と、この本体の下側の開口両側に臨ませて配置した一対のブラシを有するブラシ式掃き集め機構部と、ブラシ式掃き集め機構部の一対のブラシ間に配置され、ブラシ式掃き集め機構部により掃き集める紙粉類を前記開口側から本体内方へ搬入するベルト式紙粉類搬送機構部と、本体に形成された前記ベルト式紙粉類搬送機構部にて搬入する紙粉類を吸引し外部への搬出を可能とする吸引用流路と、前記ブラシ式掃き集め機構部の一対のブラシ及びベルト式紙粉類搬送機構部に各々掃き集め力、搬送力を付与する駆動動力付与手段とを有することを特徴とするものである。
本発明によれば、本体の下側の開口両側に臨ませて配置され、駆動動力付与手段により駆動されるブラシ式掃き集め機構部の一対のブラシにより、裁断、成形され積層状態とされる組み立て用段ボール群に残存、付着等しているカス状の紙粉類を開口内に掃き集め、駆動動力付与手段により駆動されるベルト式紙粉類搬送機構部により掃き集めた紙粉類を前記開口側から本体内方へ搬入し、前記吸引用流路を利用して前記ベルト式紙粉類搬送機構部にて搬入する紙粉類を吸引し外部への搬出を可能とするものであるから、カス状の紙粉類の掃き集め除去作業を簡略、且つ、短時間に能率良く実行することが可能となる。
そして、矩形枠状の本体の開口側四隅部には、この本体を走行させる走行ローラが設けられているとともに、本体の一部には操作用把手が設けられているので、操作用把手を手に持ち、本体を裁断、成形され積層状態とされる組み立て用段ボール群の外面等に沿って走行させることで、前記カス状の紙粉類の掃き集め除去作業を一層簡略、且つ、短時間に能率良く実行することが可能となる。
請求項２記載の発明の紙粉類の掃き集め除去装置は、下側が開口した矩形枠状の本体と、この本体の下側の開口両側に臨ませて配置した一対のブラシを有するブラシ式掃き集め機構部と、前記一対のブラシの近傍に配置した紙粉類削取用の一対の回転刃を有する削取機構部と、ブラシ式掃き集め機構部の一対のブラシ間に配置され、削取機構部により削取され、ブラシ式掃き集め機構部により掃き集められる紙粉類を前記開口側から本体内方へ搬入するベルト式紙粉類搬送機構部と、本体に形成された前記ベルト式紙粉類搬送機構部にて搬入する紙粉類を吸引し外部への搬出を可能とする吸引用流路と、前記ブラシ式掃き集め機構部の一対のブラシ、削取機構部の一対の回転刃及びベルト式紙粉類搬送機構部に各々掃き集め力、削取力及び搬送力を付与する駆動動力付与手段とを有することを特徴とするものである。
本発明によれば、本体の下側の開口両側に臨ませて配置され、駆動動力付与手段により駆動される削取機構部の紙粉類削取用の一対の回転刃により、裁断、成形され積層状態とされる組み立て用段ボール群の壁面からカス状の紙粉類を削りとる（削り取りながら）とともに、ブラシ式掃き集め機構部の一対のブラシにより、裁断、成形され積層状態とされる組み立て用段ボール群に残存、付着等しているカス状の紙粉類を開口内に掃き集め、駆動動力付与手段により駆動されるベルト式紙粉類搬送機構部により掃き集めた紙粉類を前記開口側から本体内方へ搬入し、前記吸引用流路を利用して前記ベルト式紙粉類搬送機構部にて搬入する紙粉類を吸引し外部への搬出を可能とするものであるから、前記カス状の紙粉類の削り取り、掃き集め除去作業を簡略、且つ、短時間に能率良く実行することが可能となる。
そして、前記操作用把手を手に持ち、本体を裁断、成形され積層状態とされる組み立て用段ボール群の外面等に沿って走行させることで、前記カス状の紙粉類の削り取り、掃き集め除去作業を一層簡略、且つ、短時間に能率良く実行することが可能となる。
請求項３記載の発明の紙粉類の掃き集め除去装置は、下側が開口した矩形枠状の本体と、この本体の下側の開口両側に臨ませて配置した一対のブラシを有するブラシ式掃き集め機構部と、ブラシ式掃き集め機構部の一対のブラシ間に配置され、ブラシ式掃き集め機構部により掃き集める紙粉類を前記開口側から本体内方へ搬入するベルト式紙粉類搬送機構部と、本体に形成された前記ベルト式紙粉類搬送機構部にて搬入する紙粉類を吸引し外部への搬出を可能とする吸引用流路と、前記ブラシ式掃き集め機構部の一対のブラシ及びベルト式紙粉類搬送機構部に各々掃き集め力、搬送力を付与する駆動動力付与手段とを有する紙粉類の掃き集め除去装置と、この紙粉類の掃き集め除去装置の所要個数を、紙粉類発生源である裁断、成形され積層状態とされる組み立て用段ボール群の壁面に沿って前記ブラシを壁面に接触させつつ昇降駆動する除去装置駆動手段と、前記裁断、成形され積層状態とされる組み立て用段ボール群及び紙粉類の掃き集め除去装置の外周を覆う包囲体と、この包囲体内に生じる紙粉類を吸引除去する紙粉類除去手段とを有することを特徴とするものである。
本発明によれば、請求項１記載の発明の作用を発揮する所要個数の掃き集め除去装置を、除去装置駆動手段により裁断、成形され積層状態とされる組み立て用段ボール群の壁面に沿って前記ブラシを壁面に接触させつつ昇降駆動するものであり、更にこれらの外周を覆う包囲体及び包囲体内に生じる紙粉類を吸引除去する紙粉類除去手段を備えているので、前記裁断、成形され積層状態とされる組み立て用段ボール群から生じ吸引用流路を経て包囲体内に溢れるカス状の紙粉類の掃き集め除去作業を短時間に能率良く、しかも、包囲体外部に紙粉類を溢出させることなく簡略に実行することが可能となる。
そして、前記走行ローラを利用して本体を裁断、成形され積層状態とされる組み立て用段ボール群の外面等に沿って走行させることで、前記カス状の紙粉類の掃き集め除去作業を一層簡略、且つ、短時間に能率良く実行することが可能となる。
請求項４記載の発明の紙粉類の掃き集め除去装置は、下側が開口した矩形枠状の本体と、この本体の下側の開口両側に臨ませて配置した一対のブラシを有するブラシ式掃き集め機構部と、前記一対のブラシの近傍に配置した紙粉類削取用の一対の回転刃を有する削取機構部と、ブラシ式掃き集め機構部の一対のブラシ間に配置され、削取機構部により削取され、ブラシ式掃き集め機構部により掃き集められる紙粉類を前記開口側から本体内方へ搬入するベルト式紙粉類搬送機構部と、本体に形成された前記ベルト式紙粉類搬送機構部にて搬入する紙粉類を吸引し外部への搬出を可能とする吸引用流路と、前記ブラシ式掃き集め機構部の一対のブラシ、削取機構部の一対の回転刃及びベルト式紙粉類搬送機構部に各々掃き集め力、削取力及び搬送力を付与する駆動動力付与手段とを有する紙粉類の掃き集め除去装置と、この紙粉類の掃き集め除去装置の所要個数を、紙粉類発生源である裁断、成形され積層状態とされる組み立て用段ボール群の壁面に沿って前記ブラシを壁面に接触させつつ昇降駆動する除去装置駆動手段と、前記裁断、成形され積層状態とされる組み立て用段ボール群及び紙粉類の掃き集め除去装置の外周を覆う包囲体と、この包囲体内に生じる紙粉類を吸引除去する紙粉類除去手段とを有することを特徴とするものである。
本発明によれば、請求項２記載の発明の作用を発揮する所要個数の掃き集め除去装置を、除去装置駆動手段により裁断、成形され積層状態とされる組み立て用段ボール群の壁面に沿って前記ブラシを壁面に接触させつつ昇降駆動するものであり、更にこれらの外周を覆う包囲体及び包囲体内に生じる紙粉類を吸引除去する紙粉類除去手段を備えているので、前記裁断、成形され積層状態とされる組み立て用段ボール群から削り取り、吸引用流路を経て包囲体内に溢れるカス状の紙粉類の掃き集め除去作業を短時間に能率良く、しかも、包囲体外部に紙粉類を溢出させることなく簡略に実行することが可能となる。
そして、前記走行ローラを利用して、本体を裁断、成形され積層状態とされる組み立て用段ボール群の外面等に沿って走行させることで、前記カス状の紙粉類の掃き集め除去作業を一層簡略、且つ、短時間に能率良く実行することが可能となる。
請求項５記載の発明の紙粉類の掃き集め除去装置は、下側が開口した矩形枠状の本体と、この本体の下側の開口両側に臨ませて配置した一対のブラシを有するブラシ式掃き集め機構部と、ブラシ式掃き集め機構部の一対のブラシ間に配置され、ブラシ式掃き集め機構部により掃き集める紙粉類を前記開口側から本体内方へ搬入するベルト式紙粉類搬送機構部と、本体に形成された前記ベルト式紙粉類搬送機構部にて搬入する紙粉類を吸引し外部への搬出を可能とする吸引用流路と、前記ブラシ式掃き集め機構部の一対のブラシ及びベルト式紙粉類搬送機構部に各々掃き集め力、搬送力を付与する駆動動力付与手段とを有する紙粉類の掃き集め除去装置と、この紙粉類の掃き集め除去装置の所要個数を、紙粉類発生源である裁断、成形され積層状態とされる組み立て用段ボール群の壁面に沿って前記ブラシを壁面に接触させつつ昇降駆動する除去装置駆動手段と、前記裁断、成形され積層状態とされる組み立て用段ボール群及び紙粉類の掃き集め除去装置の外周を覆うジャバラ状壁面を備えた包囲体と、この包囲体内に生じる紙粉類を吸引除去する紙粉類除去手段とを有することを特徴とするものである。
本発明によれば、請求項１記載の発明の作用を発揮する所要個数の掃き集め除去装置を、除去装置駆動手段により裁断、成形され積層状態とされる組み立て用段ボール群の壁面に沿って前記ブラシを壁面に接触させつつ昇降駆動するものであり、更にこれらの外周を覆うジャバラ状壁面を備えた包囲体及び包囲体内に生じる紙粉類を吸引除去する紙粉類除去手段を備えているので、前記裁断、成形され積層状態とされる組み立て用段ボール群から生じ吸引用流路を経てジャバラ状壁面を備えた包囲体内に溢れるカス状の紙粉類の掃き集め除去作業を短時間に能率良く、しかも、包囲体外部に紙粉類を溢出させることなく簡略に実行することが可能となる。
そして、前記走行ローラを利用して、本体を裁断、成形され積層状態とされる組み立て用段ボール群の外面等に沿って走行させることで、前記カス状の紙粉類の掃き集め除去作業を一層簡略、且つ、短時間に能率良く実行することが可能となる。
請求項６記載の発明の紙粉類の掃き集め除去装置は、下側が開口した矩形枠状の本体と、この本体の下側の開口両側に臨ませて配置した一対のブラシを有するブラシ式掃き集め機構部と、前記一対のブラシの近傍に配置した紙粉類削取用の一対の回転刃を有する削取機構部と、ブラシ式掃き集め機構部の一対のブラシ間に配置され、削取機構部により削取され、ブラシ式掃き集め機構部により掃き集められる紙粉類を前記開口側から本体内方へ搬入するベルト式紙粉類搬送機構部と、本体に形成された前記ベルト式紙粉類搬送機構部にて搬入する紙粉類を吸引し外部への搬出を可能とする吸引用流路と、前記ブラシ式掃き集め機構部の一対のブラシ、削取機構部の一対の回転刃及びベルト式紙粉類搬送機構部に各々掃き集め力、削取力及び搬送力を付与する駆動動力付与手段とを有する紙粉類の掃き集め除去装置と、この紙粉類の掃き集め除去装置の所要個数を、紙粉類発生源である裁断、成形され積層状態とされる組み立て用段ボール群の壁面に沿って前記ブラシを壁面に接触させつつ昇降駆動する除去装置駆動手段と、前記裁断、成形され積層状態とされる組み立て用段ボール群及び紙粉類の掃き集め除去装置の外周を覆うジャバラ状壁面を備えた包囲体と、この包囲体内に生じる紙粉類を吸引除去する紙粉類除去手段とを有することを特徴とするものである。
本発明によれば、請求項２記載の発明の作用を発揮する所要個数の掃き集め除去装置を、除去装置駆動手段により裁断、成形され積層状態とされる組み立て用段ボール群の壁面に沿って前記ブラシを壁面に接触させつつ昇降駆動するものであり、更にこれらの外周を覆う包囲体及び包囲体内に生じる紙粉類を吸引除去する紙粉類除去手段を備えているので、前記裁断、成形され積層状態とされる組み立て用段ボール群から削り取り、吸引用流路を経て包囲体内に溢れるカス状の紙粉類の掃き集め除去作業を短時間に能率良く、しかも、包囲体外部に紙粉類を溢出させることなく簡略に実行することが可能となる。
そして、前記走行ローラを利用して、本体を裁断、成形され積層状態とされる組み立て用段ボール群の外面等に沿って走行させることで、前記カス状の紙粉類の掃き集め除去作業を一層簡略、且つ、短時間に能率良く実行することが可能となる。
請求項７記載の発明は、請求項１乃至６のいずれかに記載の紙粉類の掃き集め除去装置において、前記裁断、成形され積層状態とされる組み立て用段ボール群及び包囲体全体を覆う全包囲体を更に備えることを特徴とするものである。
本発明によれば、前記裁断、成形され積層状態とされる組み立て用段ボール群及び包囲体全体を覆う全包囲体を更に備えることにより、前記カス状の紙粉類の装置外部への溢出をより一層確実に無くすことができ、清潔性を高めることができる。
請求項８記載の発明は、請求項１乃至７のいずれかに記載の紙粉類の掃き集め除去装置において、前記ブラシは、１又は２以上複数に設置構成されたものであることを特徴とするものである。
本発明によれば、前記装置中におけるブラシを１又は２以上複数の設置構成としながら、前記請求項１乃至７記載の発明の作用を発揮することが可能となる。
請求項９記載の発明は、請求項１乃至８のいずれかに記載の紙粉類の掃き集め除去装置において、前記回転刃は、１又は２以上複数に設置構成されたものであることを特徴とするものである。
本発明によれば、前記装置中における回転刃を１又は２以上複数の設置構成としながら、前記請求項１乃至８記載の発明の作用を発揮することが可能となる。
【発明の実施の形態】
以下に本発明の実施の形態について詳細に説明する。
（実施の形態１）
図１は、本発明の実施の形態１の紙粉類の掃き集め除去装置の部分切欠概略正面図であり、図２は同掃き集め除去装置の概略側面図であり、図３は同掃き集め除去装置の概略底面図である。図４は図３のＡ−Ａ線断面図、図５は図３のＢ−Ｂ線断面図であり、図６は本実施の形態の紙粉類の掃き集め除去装置の使用状態を示す概略斜視図である。
本実施の形態１の紙粉類Ｍの掃き集め除去装置１は、下側が開口した矩形枠状の本体２と、この本体２の下側の開口両側に本体２の長辺方向に沿って平行配置で臨ませた一対のブラシ４ａ、４ｂを有するブラシ式掃き集め機構部３と、ブラシ式掃き集め機構部３の一対のブラシ４ａ、４ｂ間に配置され、ブラシ式掃き集め機構部３により掃き集める紙粉類Ｍを前記開口側から本体２の内方へ搬入するベルト式紙粉類搬送機構部５と、本体２に形成された前記ベルト式紙粉類搬送機構部５にて搬入する紙粉類Ｍを吸引し外部への搬出を可能とする吸引用流路であるダクト部６と、前記ブラシ式掃き集め機構部３の一対の螺旋形状のブラシ４ａ、４ｂ及びベルト式紙粉類搬送機構部５に各々掃き集め力、搬送力を付与する駆動動力付与手段７とを有している。
本発明においては、前記ブラシを必ずしも一対構成に設ける必要はなく、一対構成の他、ブラシを１又は２以上複数の設置構成としても良い。
本実施の形態１では、図４に示すように、前記一対のブラシ４ａ、４ｂの側面から見た形状を円形状としているが、本発明では当該ブラシの形状を図示例に限定するものではない。前記一対のブラシ４ａ、４ｂの側面から見た形状を、例えば、四角形状、五角形状、六角形状等の多面形状（図示せず）にして構成しても良い。この場合、後述するように、側面から見た形状を多面形状としたブラシの各角部分において、裁断、成形され製品として積層状態に積み上げられる組み立て用段ボール群５０（図６）の隅々まで一層きれいにブラッシングしながら紙粉類Ｍを取り除くことができる。
前記本体２の開口側の四隅部には、この本体２を掃き集め対象物の面に沿って走行させる走行ローラ３１が設けられ、前記本体２の一部にはオペレータが手に持つための操作用把手４１が設けられている。
前記駆動動力付与手段７は、駆動モータ１０と、この駆動モータ１０の原動軸１１に取り付けた原動歯車１２と、前記原動軸１１と平行に、且つ、所定の間隔をもって配置した一対の上部ベルト軸１３ａ、１３ｂと、この上部ベルト軸１３ａ、１３ｂに各々取り付けられるとともに互いに噛合させた一対の上部ベルト用歯車１４ａ、１４ｂと、上部ベルト軸１３ａ、１３ｂの各々外側に平行配置した一対の伝達軸１５ａ、１５ｂと、伝達軸１５ａ、１５ｂに各々取り付けられるとともに各々上部ベルト用歯車１４ａ、１４ｂに噛合させた一対の伝達歯車１６ａ、１６ｂと、前記開口の両端側に平行して配置した一対のブラシ軸１７ａ、１７ｂと、このブラシ軸１７ａ、１７ｂに各々取り付けられるとともに各々伝達歯車１６ａ、１６ｂに噛合させた一対のブラシ用歯車１９ａ、１９ｂとを具備している。
駆動モータ１０により回転駆動される原動歯車１２は、前記上部ベルト用歯車１４ａ、１４ｂの内の一方の上部ベルト用歯車１４ａに噛合させている。
この結果、駆動モータ１０により原動歯車１２が図５に示す矢印方向に回転駆動される時、上部ベルト用歯車１４ａは図５において反時計方向に、上部ベルト用歯車１４ｂは図５において時計方向に回転駆動される。
また、一対のブラシ用歯車１９ａ、１９ｂの内のブラシ用歯車１９ａは、図５において反時計方向に、ブラシ用歯車１９ｂは、図５において時計方向に回転駆動される。
ベルト式紙粉類搬送機構部５は、図３、図４に示すように一対の上部ベルト軸１３ａ、１３ｂにより支持した一対の上部ベルト用プーリ２１ａ、２１ｂと、前記一対のブラシ軸１７ａ、１７ｂの間に平行配置した一対の下部ベルトプーリ２２ａ、２２ｂと、上部ベルト用プーリ２１ａ、下部ベルト用プーリ２２ａに所定間隔で掛け回した小幅の第１搬送ベルト２３ａと、上部ベルト用プーリ２１ａ、下部ベルト用プーリ２２ｂに所定間隔で掛け回した小幅の第２搬送ベルト２３ｂとを具備し、前記第１搬送ベルト２３ａと第２搬送ベルト２３ｂとが本体２の開口中央部から本体内方に向かう位置で互いに接触するように配置している。
第１搬送ベルト２３ａ、第２搬送ベルト２３ｂの設置個数は、本実施の形態１では各々２０本としている。
そして、一対の上部ベルト軸１３ａ、１３ｂの図５に矢印で示す方向の転とともに上部ベルト用プーリ２１ａ、２１ｂも図４の矢印で示す方向に回転し、これにより第１搬送ベルト２３ａと第２搬送ベルト２３ｂとの接触部分で開口領域に集められる紙粉を挟み込み本体内方に搬入するようになっている。
前記ブラシ式掃き集め機構部３は、図４に示すように、一対のブラシ軸１７ａ、１７ｂに各々取り付けたブラシ４ａ、４ｂを具備し、このブラシ軸１７ａ、１７ｂの図５に示す矢印方向の回転に連動して図４に示す矢印方向に回転し、前記本体２の開口領域で紙粉を開口中央側に掃き集めるようになっている。
前記ダクト部６は、本体２において前記上部ベルト用プーリ２１ａ、２１ｂの近傍に一端を臨ませて配置され、他端側をＬ状に屈曲して形成され、ベルト式紙粉類搬送機構部５によって開口領域に集められる紙粉を挟み込み本体内方に搬入される紙粉を外部に搬出するように構成している。前記ダクト部６による紙粉の搬出は、このダクト部６に図示しない配管及びブロアーを連結することにより行う。
次に、本実施の形態１の紙粉類Ｍの掃き集め除去装置１の作用を図６をも参照して説明する。
この紙粉類Ｍの掃き集め除去装置１を、図６に示すように、段ボール製造装置により、所定の形状に裁断、プレス成形され、製品として積層状態に積み上げられる組み立て用段ボール群５０の周囲側面にブラシ４ａ、４ｂが向き合う状態で配置し、前記操作用把手４１を手に持ち、駆動モータ１０を始動させるとともに走行ローラ３１により裁断、成形され積層状態とされる組み立て用段ボール群５０の周囲側面を走行させる。
これにより、本体２の下側の開口両側に臨ませて配置され、駆動モータ１０により駆動されるブラシ式掃き集め機構部３の一対のブラシ４ａ、４ｂにより、裁断、成形され積層状態とされる組み立て用段ボール群５０に残存、付着等しているカス状の紙粉類Ｍを開口内中央部に掃き集める。この場合に、一対のブラシ４ａ、４ｂは螺旋状に形成されて螺旋部分の間に隙間があるために、紙粉類Ｍを効率良く開口内中央部に掃き集めることができる。
なお、前述の通り、本実施の形態１では、図４に示すように、ブラシ式掃き集め機構部３の一対のブラシ４ａ、４ｂの側面から見た形状を円形状としているが、当該一対のブラシ４ａ、４ｂの側面から見た形状を、例えば、四角形状、五角形状、六角形状等の多面形状にして構成した場合（図示せず）、こられブラシの各角部分において、製品として積層状態に積み上げられる組み立て用段ボール群５０の隅々まで一層きれいにブラッシングしながら紙粉類Ｍを取り除くことができる。
このようにして駆動モータ１０より駆動されるベルト式紙粉類搬送機構部３の一対のブラシ４ａ、４ｂにより掃き集めた紙粉類Ｍを、駆動モータ１０により駆動される第１搬送ベルト２３ａと第２搬送ベルト２３ｂとの接触部分で開口領域に集められる紙粉類Ｍを挟み込み本体内方に搬入する。この場合、第１搬送ベルト２３ａと第２搬送ベルト２３ｂとは、所定の間隔で多数配置されているので隣り合う第１搬送ベルト２３ａ、第２搬送ベルト２３ｂの間に隙間があるため、紙粉類Ｍを効率良く本体内方に搬入することができる。
前記開口側から本体２の内方へ搬入された紙粉類Ｍは、前記ダクト部６及び図示しない配管及びブロアーを利用して吸引し外部へ搬出する。
この結果、カス状の紙粉類Ｍの掃き集め、除去作業を簡略、且つ、短時間に能率良く実行することが可能となる。
また、本体２の開口側四隅部には、この本体を走行させる走行ローラ３１が設けられているとともに、本体２の一部には操作用把手４１が設けられているので、操作用把手４１を手に持ち、本体２を裁断、成形され積層状態とされる組み立て用段ボール群５０の外面等に沿って走行させることで、前記紙粉類Ｍの掃き集め除去作業を簡略、且つ、短時間に能率良く実行することが可能となる。
（実施の形態２）
次に、図７乃至図９を参照して本発明の実施の形態２について説明する。
本実施の形態２の紙粉類Ｍの掃き集め除去装置１Ａは、実施の形態１の紙粉類Ｍの掃き集め除去装置１の構成と略同様であるが、図７、図８に示すように、前記一対のブラシ４ａ、４ｂの近傍に配置される紙粉類削取用の一対の回転刃２５ａ、２５ｂを有する削取機構部３０を付加し、駆動動力付与手段７により一対の回転刃２５ａ、２５ｂをも駆動するようにしたことが特徴である。
本発明においては、前記回転刃を必ずしも一対構成に設ける必要はなく、一対構成の他、回転刃を１又は２以上複数の設置構成としても良い。
本発明においては、前記一対の回転刃２５ａ、２５ｂの刃自体の種類を限定するものはないが、例えばストレート刃、スクリュ刃等を挙げることができる。また、前記回転刃２５ａ、２５ｂは、同芯軸又は偏芯軸をもって駆動させることができる。
一対の回転刃２５ａ、２５ｂは、前記一対のブラシ軸１７ａ、１７ｂの内側に所定の間隔で平行配置され、この一対の回転刃２５ａ、２５ｂに取り付けた一対の回転刃歯車２７ａ、２７ｂを、前記一対のブラシ用歯車１９ａ、１９ｂに各々噛合させている。一対の回転刃２５ａ、２５ｂの外周部は、前記本体２の開口部分から僅かに外方に突出するように配置している。一対の回転刃２５ａ、２５ｂの形状としては、図９に示すように棒状体の外周部にその長さ方向に沿って直線状に刃を形成した直線刃形状の他、刃の形状を螺旋状とした螺旋刃形状のものを採用することもできる。
本実施の形態２によれば、実施の形態１の紙粉類Ｍの掃き集め除去装置１の構成に加え、前記一対のブラシ４ａ、４ｂの近傍に配置される紙粉類削取用の一対の回転刃２５ａ、２５ｂを有する削取機構部３０を付加し、駆動動力付与手段７により一対の回転刃２５ａ、２５ｂをも駆動するようにしたものである。
従って、本体２の下側の開口両側に臨ませて配置され、駆動動力付与手段７により駆動される削取機構部３０の紙粉類削取用の一対の回転刃２５ａ、２５ｂにより裁断、成形され積層状態とされる組み立て用段ボール群５０の壁面からカス状の紙粉類Ｍを削り取るとともに、ブラシ式掃き集め機構部３の一対のブラシ４ａ、４ｂにより、裁断、成形され積層状態とされる組み立て用段ボール群５０に残存、付着等しているカス状の紙粉類Ｍを開口内に掃き集め、駆動動力付与手段７により駆動されるベルト式紙粉類搬送機構部５により掃き集めた紙粉類Ｍを前記開口側から本体２内方へ搬入し、前記ダクト部６を利用して前記ベルト式紙粉類搬送機構部５にて搬入する紙粉類Ｍを吸引し外部への搬出が可能となり、前記カス状の紙粉類Ｍの削り取り、掃き集め除去作業を簡略、且つ、短時間に能率良く実行することが可能となる。
また、本体２の開口側四隅部には、この本体を走行させる走行ローラ３１が設けられているとともに、本体２の一部には操作用把手４１が設けられているので、操作用把手４１を手に持ち、本体２を裁断、成形され積層状態とされる組み立て用段ボール群５０の外面等に沿って走行させることで、実施の形態１の場合と同様、前記紙粉類Ｍの掃き集め除去作業を簡略、且つ、短時間に能率良く実行することが可能となる。
（実施の形態３）
次に、図１０を参照して本発明の実施の形態３について説明する。
本実施の形態３に係る紙粉類Ｍの掃き集め除去装置１Ｂは、図１０に示すように、前記紙粉類Ｍの掃き集め除去装置１と、所要個数（例えば２個）の紙粉類Ｍの掃き集め除去装置１を、紙粉類発生源である裁断、成形され積層状態とされる組み立て用段ボール群５０の両側壁面に沿って前記ブラシ４ａ、４ｂを壁面に接触させ、走行ローラ３１を利用して昇降駆動する除去装置駆動手段４２と、前記裁断、成形され積層状態とされる組み立て用段ボール群５０及び紙粉類Ｍの掃き集め除去装置１の外周を覆う包囲体４３と、この包囲体４３内に生じる紙粉類Ｍを吸引除去するダクト５５及び図示しない吸引ポンプを用いた紙粉類除去手段４４と、前記裁断、成形され積層状態とされる組み立て用段ボール群５０及び包囲体４３全体を覆う箱型状の全包囲体５１とを有している。
除去装置駆動手段４２は、全包囲体５１の上部下面に一端を取り付けたシリンダー５２を具備し、該シリンダー５２のロッド５２ａに包囲体４３を連結し、更に包囲体４３に内壁面に例えば２個の掃き集め除去装置１を取り付けている。そして、前記シリンダー５２のロッド５２ａの伸縮動作により、２個の掃き集め除去装置１を包囲体４３とともに昇降駆動し、このときの２個の掃き集め除去装置１の動作で前記裁断、成形され積層状態とされる組み立て用段ボール群５０の両壁面の紙粉類Ｍを吸引除去し、更に包囲体４３内に生じる紙粉類Ｍを紙粉類除去手段４４をより外部に吸引除去するものである。
この場合、箱型状の全包囲体５１を備えているので、紙粉類除去手段４４により吸引除去される紙粉類Ｍは全包囲体５１内に止まり、装置外に溢出することはなく、これにより、全包囲体５１周辺の清潔性を確保できる。
なお、掃き集め除去装置１の裁断、成形され積層状態とされる組み立て用段ボール群５０の壁面に対する設置個数は、上述した両側壁面に対し２個設置する場合の他、一つの壁面に対する１個、３方の壁面に対する３個、４方の壁面に対する４個等、任意である。
また、本実施の形態３の紙粉類Ｍの掃き集め除去装置１Ｂの場合、前記掃き集め除去装置１を用いる他、図７、図８に示す掃き集め除去装置１Ａを用いても上述した場合と同様な作用効果を発揮させることができる。加えて、掃き集め除去装置１Ａの場合には、削取機構部３０の一対の回転刃２５ａ、２５ｂにより裁断、成形され積層状態とされる組み立て用段ボール群５０の壁面からカス状の紙粉類Ｍを削り取る動作も有るので、裁断、成形され積層状態とされる組み立て用段ボール群５０の壁面の仕上がり具合をより良くすることができる。
なお、本発明においては、前述した通り、前記回転刃を必ずしも一対構成に設ける必要はなく、一対構成の他、回転刃を１又は２以上複数の設置構成としても良い。
この場合においても、掃き集め除去装置１Ａの裁断、成形され積層状態とされる組み立て用段ボール群５０の壁面に対する設置個数は、上述した両側壁面に対して例えば２個設置する場合の他、一つの壁面に対する１個、３方の壁面に対する３個、４方の壁面に対する４個等、任意である。
（実施の形態４）
次に、図１１を参照して本発明の実施の形態４について説明する。
本実施の形態４の紙粉類Ｍの掃き集め除去装置１Ｃは、実施の形態３の紙粉類Ｍの掃き集め除去装置１Ｂと略同様な構成であるが、前記裁断、成形され積層状態とされる組み立て用段ボール群５０及び紙粉類Ｍの掃き集め除去装置１の外周を覆う包囲体４３の壁面形状を蛇腹形状としたことが特徴であり、この他の構成は実施の形態３の場合と同様である。
本実施の形態４の紙粉類Ｍの掃き集め除去装置１Ｃによっても、実施の形態３の場合と同様の作用効果を発揮させることができ、また包囲体４３の壁面形状が蛇腹形状であるために、包囲体４３の蛇腹部分の伸縮を利用して作業性良く紙粉類Ｍを掃き集め、吸引除去することができる。
本実施の形態４においても、図１乃至図５に示す掃き集め除去装置１を用いる他、図７、図８に示す掃き集め除去装置１Ａを用いることができ、また、掃き集め除去装置１、１Ａの裁断、成形され積層状態とされる組み立て用段ボール群５０の壁面に対する設置個数も、両側壁面に対し２個設置する場合の他、一つの壁面に対する１個、３方の壁面に対する３個、４方の壁面に対する４個等、任意である。
なお、以上説明した実施の形態１〜４の各装置（中の特に、ブラシ、回転刃）においては、各装置の構成部材を、抗菌材又は殺菌材或いは防菌材からなる各部材をもってこれらを形成して実施しても良い。この場合、裁断、成形され積層状態とされる組み立て用段ボール群のカス状の紙粉類を実施の形態１〜４の装置をもって掃き集め除去作業を行ないながら、積層状態とされる段ボール群の周囲側面を抗菌又は殺菌或いは防菌することが可能となり、また、積層状態とされる段ボール群から排出されることのある虫類に対する抗菌又は殺菌或いは防菌の作用をも発揮できる。
【発明の効果】
請求項１記載の発明によれば、装置本体の下側の開口両側に臨ませて配置されて、駆動動力付与手段により駆動されるブラシ式掃き集め機構部及びベルト式紙粉類搬送機構部と、吸引用流路と有する構成で、カス状の紙粉類の掃き集め除去作業を簡略、且つ、短時間に能率良く実行することが可能な紙粉類の掃き集め除去装置を提供することができる。そして、操作用把手を手に持ち、本体を裁断、成形され積層状態とされる組み立て用段ボール群の外面等に沿って走行させることで、前記カス状の紙粉類の掃き集め除去作業を一層簡略、且つ、短時間に能率良く実行することが可能な紙粉類の掃き集め除去装置を提供することができる。
請求項２記載の発明によれば、カス状の紙粉類の削り取り、掃き集め除去作業を簡略、且つ、短時間に能率良く実行することが可能となる。そして、操作用把手を手に持ち、本体を裁断、成形され積層状態とされる組み立て用段ボール群の外面等に沿って走行させることで、前記カス状の紙粉類の削り取り、掃き集め除去作業を一層簡略、且つ、短時間に能率良く実行することが可能となる。
請求項３記載の発明によれば、裁断、成形され積層状態とされる組み立て用段ボール群から生じ吸引用流路を経て包囲体内に溢れるカス状の紙粉類の掃き集め除去作業を短時間に能率良く、しかも、包囲体外部に紙粉類を溢出させることなく簡略に実行することが可能となる。
請求項４記載の発明によれば、裁断、成形され積層状態とされる組み立て用段ボール群から削り取り、吸引用流路を経て包囲体内に溢れるカス状の紙粉類の掃き集め除去作業を短時間に能率良く、しかも、包囲体外部に紙粉類を溢出させることなく簡略に実行することが可能となる。
請求項５記載の発明によれば、裁断、成形され積層状態とされる組み立て用段ボール群から生じ吸引用流路を経てジャバラ状壁面を備えた包囲体内に溢れるカス状の紙粉類の掃き集め除去作業を短時間に能率良く、しかも、包囲体外部に紙粉類を溢出させることなく簡略に実行することが可能となる。
請求項６記載の発明によれば、前記裁断、成形され積層状態とされる組み立て用段ボール群から削り取り、吸引用流路を経て包囲体内に溢れるカス状の紙粉類の掃き集め除去作業を短時間に能率良く、しかも、包囲体外部に紙粉類を溢出させることなく簡略に実行することが可能となる。
請求項７記載の発明によれば、裁断、成形され積層状態とされる組み立て用段ボール群及び包囲体全体を覆う全包囲体を更に備えることにより、前記カス状の紙粉類の装置外部への溢出をより一層確実に無くすことができ、清潔性を高めることができる。
請求項８記載の発明によれば、前記装置中におけるブラシを１又は２以上複数の設置構成としながら、前記請求項１乃至７記載の発明の効果を実現できる紙粉類の掃き集め除去装置を提供することができる。
請求項９記載の発明によれば、前記装置中における回転刃を１又は２以上複数の設置構成としながら、前記請求項１乃至８記載の発明の効果を実現できる紙粉類の掃き集め除去装置を提供することができる。
【図面の簡単な説明】
【図１】本発明の実施の形態１の紙粉類の掃き集め除去装置の部分切欠概略正面図である。
【図２】本実施の形態１の紙粉類の掃き集め除去装置の概略側面図である。
【図３】本実施の形態１の紙粉類の掃き集め除去装置の概略底面図である。
【図４】図３のＡ−Ａ線断面図である。
【図５】図３のＢ−Ｂ線断面図である。
【図６】本実施の形態１の紙粉類の掃き集め除去装置の使用状態を示す概略斜視図である。
【図７】本発明の実施の形態２の紙粉類の掃き集め除去装置の概略断面図である。
【図８】本発明の実施の形態２の紙粉類の掃き集め除去装置の駆動部分の概略断面図である。
【図９】本発明の実施の形態２の回転刃を示す斜視図である。
【図１０】本発明の実施の形態３の紙粉類の掃き集め除去装置の概略構成図である。
【図１１】本発明の実施の形態４の紙粉類の掃き集め除去装置の概略構成図である。
【符号の説明】
１    掃き集め除去装置
１Ａ  掃き集め除去装置
１Ｂ  掃き集め除去装置
１Ｃ  掃き集め除去装置
２    本体
３    ブラシ式掃き集め機構部
４ａ、４ｂ  ブラシ
５    ベルト式紙粉類搬送機構部
６    ダクト部
７    駆動動力付与手段
１０    駆動モータ
１１    原動軸
１２    原動歯車
１３ａ、１３ｂ  上部ベルト軸
１４ａ、１４ｂ  上部ベルト用歯車
１５ａ、１５ｂ  伝達軸
１６ａ、１６ｂ  伝達歯車
１７ａ、１７ｂ  ブラシ軸
１９ａ、１９ｂ  ブラシ用歯車
２１ａ、２１ｂ  上部ベルト用プーリ
２２ａ  下部ベルト用プーリ
２２ｂ  下部ベルト用プーリ
２３ａ  第１搬送ベルト
２３ｂ  第２搬送ベルト
２５ａ  回転刃
２５ｂ  回転刃
２７ａ  回転刃歯車
２７ｂ  回転刃歯車
３０    削取機構部
３１    走行ローラ
４１    操作用把手
４２    除去装置駆動手段
４３    包囲体
４４    紙粉類除去手段
５０    裁断、成形され積層状態とされる組み立て用段ボール群
５１    全包囲体
５２    シリンダー
５５    ダクト
Ｍ    紙粉類
【図１】
0004041849.tif 000002
【図２】
0004041849.tif 000003
【図３】
0004041849.tif 000004
【図４】
0004041849.tif 000005
【図５】
0004041849.tif 000006
【図６】
0004041849.tif 000007
【図７】
0004041849.tif 000008
【図８】
0004041849.tif 000009
【図９】
0004041849.tif 000010
【図１０】
0004041849.tif 000011
【図１１】
0004041849.tif 000012